(57)【要約】【課題】加入者宅側光回線終端装置と無線端末との間の無線ＬＡＮ通信環境を復元すること。【解決手段】各加入者宅側光回線終端装置における管理情報を、該加入者宅側光回線終端装置に関する管理用識別子に関連付けて管理することができるセンタ側光回線終端装置に、ＰＯＮ型の光伝送路を介して接続される加入者宅側光回線終端装置であって、無線ＬＡＮ機能を搭載した無線端末と無線通信する無線部と、前記無線端末と前記無線部との間の経路制御を行うルータ部と、前記光伝送路を介して前記センタ側光回線終端装置から受信した管理情報に基づいて、前記ルータ部を管理する管理部と、前記管理部が記憶している前記無線部の管理情報を、該加入者宅側光回線終端装置に固有に割り当てられた物理的識別子に関連付けて前記光伝送路を介して送信するＰＯＮ制御部と、を備える加入者宅側光回線終端装置である。【選択図】図２
2016167707.tif 000002
【特許請求の範囲】
【請求項１】
各加入者宅側光回線終端装置における管理情報を、該加入者宅側光回線終端装置に関する管理用識別子に関連付けて管理することができるセンタ側光回線終端装置に、ＰＯＮ型の光伝送路を介して接続される加入者宅側光回線終端装置であって、
無線ＬＡＮ機能を搭載した無線端末と無線通信する無線部と、
前記無線端末と前記無線部との間の経路制御を行うルータ部と、
前記光伝送路を介して前記センタ側光回線終端装置から受信した管理情報に基づいて、前記ルータ部を管理する管理部と、
前記管理部が記憶している前記無線部の管理情報を、該加入者宅側光回線終端装置に固有に割り当てられた物理的識別子に関連付けて前記光伝送路を介して送信するＰＯＮ制御部と、
を備えることを特徴とする加入者宅側光回線終端装置。
【請求項２】
前記ＰＯＮ制御部は、前記無線部の設定が手動で変更された際に、前記管理部に記憶されている管理情報を、前記センタ側光回線終端装置にＰＯＮ型の光伝送路を介して送信する、
ことを特徴とする請求項１に記載の加入者宅側光回線終端装置。
【請求項３】
前記ＰＯＮ制御部は、前記センタ側光回線終端装置から管理情報を収集するためのトリガー信号を受信した際に、前記管理部に記憶されている管理情報を、前記センタ側光回線終端装置にＰＯＮ型の光伝送路を介して送信する、
ことを特徴とする請求項１または請求項２に記載の加入者宅側光回線終端装置。
【請求項４】
前記無線ＬＡＮの管理情報には、ＳＳＩＤとパスワードとが含まれる、
ことを特徴とする請求項１または請求項２に記載の加入者宅側光回線終端装置。
【請求項５】
センタ側光回線終端装置から受信した管理情報に基づいて、加入者宅側光回線終端装置のルータ部を管理することができる加入者宅側光回線終端装置に、ＰＯＮ型の光伝送路を介して接続されるセンタ側光回線終端装置であって、
各加入者宅に設置された加入者宅側光回線終端装置に管理用識別子を割り当てて、該管理用識別子と各加入者宅用の管理情報とを関連付けて記憶する総合管理部と、
前記総合管理部が記憶している各加入者宅用の管理情報を、前記管理用識別子に関連付けられた加入者宅に設置された加入者宅側光回線終端装置に、前記光伝送路を介して送信するＰＯＮ制御部と、
を備えることを特徴とするセンタ側光回線終端装置。
【請求項６】
前記総合管理部は、加入者宅側光回線終端装置から受信する該加入者宅側光回線終端装置に固有に割り当てられた物理的識別子と各加入者宅に設置された加入者宅側光回線終端装置に割り当てられた管理用識別子との対応関係に基づいて、同一加入者宅内の加入者宅側光回線終端装置が交換されたことを把握し、
前記ＰＯＮ制御部は、同一加入者宅内の加入者宅側光回線終端装置が交換されたことを把握した場合に、前記総合管理部が記憶している各加入者宅用の管理情報を、前記管理用識別子に関連付けられた加入者宅に設置された加入者宅側光回線終端装置に、前記光伝送路を介して送信する、
ことを特徴とする請求項５に記載のセンタ側光回線終端装置。
【請求項７】
請求項１から請求項４の何れか１つに記載の加入者宅側光回線終端装置と、
請求項５または請求項６に記載のセンタ側光回線終端装置と、
前記加入者宅側光回線終端装置と前記センタ側光回線終端装置と間を受動素子によって構成したＰＯＮ型の光伝送路と、
を備えることを特徴とする光伝送システム。
【発明の詳細な説明】
【技術分野】
【０００１】
本発明は、加入者宅側光回線終端装置、センタ側光回線終端装置、および光伝送システムに関する。
【背景技術】
【０００２】
ＦＴＴＨ等の光ネットワークでは、局から加入者宅までをスプリッタ等の受動素子によって構成したＰＯＮ(Passive  Optical  Network)型の光伝送システムが多く使用されている。このような光伝送システムは、ＰＤＳ(Passive  Double  Star)とも呼ばれる。局内に設置されるＯＬＴ（Optical  Line  Terminal：センタ側光回線終端装置）と加入者宅内に設置されるＯＮＵ（Optical  Network  Unit：加入者宅側光回線終端装置）とを結ぶ光伝送路が２つのスター配線となっているからである。
【０００３】
ＰＯＮ型の光伝送システムでは、局から加入者宅まで光伝送路をスプリッタ等で分配するので、局が送信する物理的光信号がすべての加入者宅へ届くことになる。そこで、ＰＯＮ型の光伝送システムでは、ＴＤＭ（Time  Division  Multiplexing：時分割多重化）やＴＤＭＡ（Time  Division  Multiple  Access：時分割多元接続）等を用いて、論理的にはＰ２Ｐ（Point  to  Point）通信と同等に機能する仕組みが採用されている。
【０００４】
ところで、ＯＮＵは加入者宅内に設置されることになるが、加入者の利便性を考えるとＯＮＵにおける管理情報等を局側で一元管理することが好ましい。そこで、局内に設置されるＯＬＴに管理機能を設けて、加入者宅内のＯＮＵの管理情報等をＯＬＴ側で一元管理する方法が開発されている（例えば特許文献１参照）。
【先行技術文献】
【特許文献】
【０００５】
【特許文献１】特開２０１１−１１４３７５号公報
【発明の概要】
【発明が解決しようとする課題】
【０００６】
しかしながら、ＯＮＵの多機能化に伴い、ＯＬＴ側でのＯＮＵの一元管理にも新たな課題が生じるようになっている。ＯＮＵの下位網には、パソコン等の通信端末が接続されることになるが、ＯＮＵと通信端末との間の接続は、無線ＬＡＮルータを介した無線接続であることが主流となっている。そこで、ＯＮＵの装置内に無線ＬＡＮルータの機能を持たせたいという要望が存在している。
【０００７】
ところが、無線ＬＡＮルータと無線端末との間の通信は、ＳＳＩＤ（Service  Set  Identifier）やパスワード等の無線ＬＡＮ用の管理情報によって設定されているので、ＯＬＴとＯＮＵとの間の光通信用の管理情報をＯＬＴで一元管理するだけでは不都合が生じることがある。例えばＯＮＵを交換した時など、ＯＮＵにおける管理情報が失われる状況では、光通信用の管理情報をＯＬＴから読み込んで光通信用の通信環境を復元することができても、無線ＬＡＮ用の通信環境を復元することまではできないからである。結果、ＯＮＵにおけるＳＳＩＤやパスワード等の再設定、または、すべての無線端末におけるＳＳＩＤやパスワード等の再設定を加入者自身が行うことになる。
【０００８】
本発明は、上記に鑑みてなされたものであって、その目的は、加入者宅側光回線終端装置と無線端末との間の無線ＬＡＮ通信環境を復元することができる加入者宅側光回線終端装置、センタ側光回線終端装置、および光伝送システムを提供することにある。
【課題を解決するための手段】
【０００９】
上述した課題を解決し、目的を達成するために、本発明の一態様に係る加入者宅側光回線終端装置は、各ＯＮＵにおける管理情報を各ＯＮＵに関する管理用識別番号に関連付けて管理することができるＯＬＴに、ＰＯＮ型の光伝送路を介して接続される加入者宅側光回線終端装置であって、無線ＬＡＮ機能を搭載した無線端末と無線通信する無線部と、前記光伝送路を介して前記ＯＬＴから受信した前記無線ＬＡＮの管理情報に基づいて、前記無線通信を管理する管理部と、前記管理部が記憶している前記無線ＬＡＮの管理情報を前記光伝送路を介して送信するＰＯＮ制御部と、を備えることを特徴とする。
【００１０】
また、本発明の一態様に係る加入者宅側光回線終端装置は、前記ＰＯＮ制御部は、前記無線部の設定が手動で変更された際に、前記管理部に記憶されている管理情報を、前記センタ側光回線終端装置にＰＯＮ型の光伝送路を介して送信することを特徴とする。
【００１１】
また、本発明の一態様に係る加入者宅側光回線終端装置は、前記ＰＯＮ制御部は、前記センタ側光回線終端装置から管理情報を収集するためのトリガー信号を受信した際に、前記管理部に記憶されている管理情報を、前記センタ側光回線終端装置にＰＯＮ型の光伝送路を介して送信することを特徴とする。
【００１２】
また、本発明の一態様に係る加入者宅側光回線終端装置は、前記無線ＬＡＮの管理情報には、ＳＳＩＤとパスワードとが含まれることを特徴とする。
【００１３】
また、本発明の一態様に係るセンタ側光回線終端装置は、センタ側光回線終端装置から受信した管理情報に基づいて、加入者宅側光回線終端装置のルータ部を管理することができる加入者宅側光回線終端装置に、ＰＯＮ型の光伝送路を介して接続されるセンタ側光回線終端装置であって、各加入者宅に設置された加入者宅側光回線終端装置に管理用識別子を割り当てて、該管理用識別子と各加入者宅用の管理情報とを関連付けて記憶する総合管理部と、前記総合管理部が記憶している各加入者宅用の管理情報を、前記管理用識別子に関連付けられた加入者宅に設置された加入者宅側光回線終端装置に、前記光伝送路を介して送信するＰＯＮ制御部とを備えることを特徴とする。
【００１４】
また、本発明の一態様に係るセンタ側光回線終端装置は、前記総合管理部は、加入者宅側光回線終端装置から受信する該加入者宅側光回線終端装置に固有に割り当てられた物理的識別子と各加入者宅に設置された加入者宅側光回線終端装置に割り当てられた管理用識別子との対応関係に基づいて、同一加入者宅内の加入者宅側光回線終端装置が交換されたことを把握し、前記ＰＯＮ制御部は、同一加入者宅内の加入者宅側光回線終端装置が交換されたことを把握した場合に、前記総合管理部が記憶している各加入者宅用の管理情報を、前記管理用識別子に関連付けられた加入者宅に設置された加入者宅側光回線終端装置に、前記光伝送路を介して送信することを特徴とする。
【００１５】
また、本発明の一態様に係る光伝送システムは、加入者宅側光回線終端装置と、センタ側光回線終端装置と、前記加入者宅側光回線終端装置と前記センタ側光回線終端装置と間を受動素子によって構成したＰＯＮ型の光伝送路とを備えることを特徴とする。
【発明の効果】
【００１６】
本発明に係る加入者宅側光回線終端装置、センタ側光回線終端装置、および光伝送システムは、加入者宅側光回線終端装置と無線端末との間の無線ＬＡＮ通信環境を復元することができる効果を奏する。
【図面の簡単な説明】
【００１７】
【図１】図１は、光伝送システムの概略構成を示す図である。
【図２】図２は、ＯＬＴおよびＯＮＵの概略内部構成を示すブロック図である。
【図３】図３は、光伝送システムにおける処理の例を示す図である。
【発明を実施するための形態】
【００１８】
以下、本発明に係る加入者宅側光回線終端装置、センタ側光回線終端装置、および光伝送システムの実施形態を図面に基づいて詳細に説明する。なお、以下で説明する実施形態によりこの発明が限定されるものではない。
【００１９】
図１は、光伝送システム１００の概略構成を示す図である。図１に示されるように、光伝送システム１００は、ＯＬＴ１０と複数のＯＮＵ２０ａ〜２０ｎとを光伝送路３０で接続して構成されている。
【００２０】
ＯＬＴ１０は、複数のインターフェースユニット（ＰＩＦ）１１ａ〜１１ｎと監視ユニット（ＳＶ）１２とを備えている。ＯＬＴ１０は、例えばラックマウント型の装置であり、各サブラックにＰＩＦ１１ａ〜１１ｎを収容することができ、適宜ＰＩＦ１１ａ〜１１ｎを追加および削除することができるよう構成されている。
【００２１】
ＯＬＴ１０は、上位網４０から受信した電気信号を各ＰＩＦ１１ａ〜１１ｎに分配して各ＰＩＦ１１ａ〜１１ｎが当該電気信号を光信号へ変換し、各光伝送路３０へ送信するように構成されている。また、ＯＬＴ１０は、各光伝送路３０から受信した光信号を各ＰＩＦ１１ａ〜１１ｎが電気信号へ変換し、各ＰＩＦ１１ａ〜１１ｎの出力を結合して上位網４０へ送信するように構成されている。なお、図１では、記載を省略しているが、各ＰＩＦ１１ａ〜１１ｎに対して、光伝送路３０と同様の構成の伝送路が接続されている。
【００２２】
ＳＶ１２は、各ＰＩＦ１１ａ〜１１ｎの状態を監視および制御するユニットである。したがって、ＯＬＴ１０に設けられるＳＶ１２は１つでも十分である。ＳＶ１２には、オペレータが操作を行うための操作端末が別途接続される。
【００２３】
ＯＮＵ２０ａ〜２０ｎは、光伝送路３０を介してＯＬＴ１０から受信した光信号を電気信号へ変換し、下位網５０へ電気信号を送信するように構成されている。ＯＮＵ２０ａ〜２０ｎから下位網５０への伝送路は、有線および無線の両方を含む。また、ＯＮＵ２０ａ〜２０ｎは、下位網５０から受信した電気信号を光信号へ変換し、光伝送路３０を介してＯＬＴへ送信するように構成されている。図１では、記載を省略しているが、各ＯＮＵ２０ａ〜２０ｎに対して、同様に下位網５０が接続されている。
【００２４】
光伝送路３０は、スプリッタ３１と第１の光ファイバ伝送路３２と第２の光ファイバ伝送路３３ａ〜３３ｎとを備え、ＰＩＦ１１ａと各ＯＮＵ２０ａ〜２０ｎとの間で光信号の伝送を行っている。第１の光ファイバ伝送路３２は、ＰＩＦ１１ａとスプリッタ３１とを接続している。一方、第２の光ファイバ伝送路３３ａ〜３３ｎは、スプリッタ３１と各ＯＮＵ２０ａ〜２０ｎとを接続している。光伝送路３０は、いわゆるＰＯＮ型の伝送路であり、受動素子のみで構成されている。
【００２５】
スプリッタ３１は、第１の光ファイバ伝送路３２から入力された光信号を第２の光ファイバ伝送路３３ａ〜３３ｎへ均等に分配して出力するように構成されている。また、スプリッタ３１は、第２の光ファイバ伝送路３３ａ〜３３ｎから入力された光信号を結合して第１の光ファイバ伝送路３２へ出力するように構成されている。
【００２６】
したがって、光伝送路３０では、ＰＩＦ１１ａから送信した光信号は、物理的にはすべてのＯＮＵ２０ａ〜２０ｎにて受信されることになる。また、ＯＮＵ２０ａ〜２０ｎから送信された光信号は、物理的には重畳されてＰＩＦ１１ａにて受信されることになる。
【００２７】
このため、光伝送システム１００では、ＴＤＭおよびＴＤＭＡを用いて、ＰＩＦ１１ａと各ＯＮＵ２０ａ〜２０ｎとの間が論理的にはＰ２Ｐ通信となる仕組みが採用されている。
【００２８】
ＰＩＦ１１ａから各ＯＮＵ２０ａ〜２０ｎへの通信、いわゆる下り通信では、ＴＤＭの伝送方式が用いられている。すなわち、ＰＩＦ１１ａから各ＯＮＵ２０ａ〜２０ｎへの通信は、複数のタイムスロットに時分割されて各タイムスロットに各ＯＮＵ２０ａ〜２０ｎへの通信情報（フレーム）が収容されるが、すべてのフレームが各ＯＮＵ２０ａ〜２０ｎに等しく到達することになる。そして、各ＯＮＵ２０ａ〜２０ｎは、受信したフレーム中のＰＯＮ接続用識別子を読み取ることにより、自己宛のフレームであるか否かを判断し、受信した自己宛以外のフレームを廃棄する。フレーム中の付加されるＰＯＮ接続用識別子は、各ＯＮＵ２０ａ〜２０ｎが光伝送システム１００に最初に接続された際に、ＰＩＦ１１ａから各ＯＮＵ２０ａ〜２０ｎに対して重複なく付与されるものである。一般に、このＰＯＮ接続用識別子はＬＬＩＤ（Logical  Link  Identifier）と呼ばれている。
【００２９】
一方、各ＯＮＵ２０ａ〜２０ｎからＰＩＦ１１ａへの通信、いわゆる上り通信では、ＴＤＭＡの伝送方式が用いられている。すなわち、各ＯＮＵ２０ａ〜２０ｎからＰＩＦ１１ａへの通信では、ＰＩＦ１１ａが信号の衝突が発生しないように、各ＯＮＵ２０ａ〜２０ｎに送信開始時刻と送信量とを通知し、各ＯＮＵ２０ａ〜２０ｎは割り当てたタイミングでのみ送信するように制御されている。これにより、各ＯＮＵ２０ａ〜２０ｎからの信号が衝突することなくＰＩＦ１１ａへ到達することができる。
【００３０】
第１の光ファイバ伝送路３２と第２の光ファイバ伝送路３３ａ〜３３ｎは、１芯の光ファイバで構成されている。ＰＩＦ１１ａから各ＯＮＵ２０ａ〜２０ｎへの通信と各ＯＮＵ２０ａ〜２０ｎからＰＩＦ１１ａへの通信とでは、例えば１．４９μｍ帯と１．３１μｍ帯とのように、異なる波長の光信号が用いられている。
【００３１】
上記ＰＩＦ１１ａから各ＯＮＵ２０ａ〜２０ｎへの通信および各ＯＮＵ２０ａ〜２０ｎからＰＩＦ１１ａへの通信は、例えばＩＥＥＥ８０２．３ａｈ標準規格に準拠した方式となっており、互換性を確保した通信となっている。
【００３２】
次に、図２を参照しながら、ＯＬＴおよびＯＮＵの概略内部構成を説明する。図２は、ＯＬＴ１０およびＯＮＵ２０ａの概略内部構成を示すブロック図である。なお、ＯＬＴ１０中のＰＩＦ１１ｂ〜１１ｎは、ＰＩＦ１１ａと機能的に同様の構成であり、ＯＮＵ２０ｂ〜２０ｎは、ＯＮＵ２０ａと機能的に同様の構成であるので、図２では記載を省略している。
【００３３】
図２に示されるように、ＯＮＵ２０ａは、光送受信部２１とＰＯＮ制御部２２とルータ部２３と有線部２４と無線部２５と管理部２６とを備えている。
【００３４】
光送受信部２１は、光伝送路３０から受信した光信号を電気信号に変換してＰＯＮ制御部２２へ送信し、かつ、ＰＯＮ制御部２２から受信した電気信号を光信号に変換して光伝送路３０へ送信する。光送受信部２１は、例えばレーザダイオードとフォトダイオードと波長分割多重素子とを備えている。レーザダイオードは、電気信号を光信号に変換し、フォトダイオードは、光信号を電気信号に変換し、波長分割多重素子は、互いに波長の異なる下り通信と上り通信との光信号を合波および分波するために用いられる。
【００３５】
ＰＯＮ制御部２２は、ＰＯＮ光伝送通信を確立するための制御を行う。ＰＯＮ光伝送通信とは、ＰＯＮ型の光伝送路において論理的にはＰ２Ｐ通信と同等となる仕組みが導入された光伝送通信をいう。ＰＯＮ制御部２２は、ルータ部２３を介して入力された下位網５０からの通信情報をＰＯＮ光伝送通信用のフレームに変換する。上述のように、ＯＮＵ２０ａからＰＩＦ１１ａへの通信では、ＴＤＭＡの伝送方式が用いられている。したがって、ＰＯＮ制御部２２は、ＰＩＦ１１ａによって指定された時刻および量のＰＯＮ光伝送通信用のフレームを作成する。
【００３６】
一方、ＰＩＦ１１ａからＯＮＵ２０ａへの通信では、ＴＤＭの伝送方式が用いられている。したがって、ＰＯＮ制御部２２は、光送受信部２１を介して光伝送路３０から受信したフレームのうち自己宛以外のフレームを破棄する。ＰＯＮ制御部２２が廃棄すべきフレームを判断するための情報は、管理部２６に記憶されているＰＯＮ接続用識別子である。当該識別子は、初期認証時にＰＩＦ１１ａがＯＮＵ２０ａに対して割り当てたものである。
【００３７】
ルータ部２３は、ＰＯＮ光伝送通信と下位網５０の通信とを中継するための経路選択機能を有している。ＯＮＵ２０ａと下位網５０の通信には、有線部２４をインターフェースとした有線ＬＡＮと、無線部２５をインターフェースとした無線ＬＡＮとの２つがあり、それぞれに対し複数の通信端末が接続することができる。有線部２４には、有線の通信端末が接続され、無線部２５には、無線ＬＡＮ機能を搭載した無線端末５１が接続される。ルータ部２３は、ＰＯＮ制御部２２から受信した電気信号を下位網５０の適切な通信端末に転送し、かつ、下位網５０の通信端末から受信した電気信号をＰＯＮ制御部２２へ転送する。
【００３８】
管理部２６は、ＰＯＮ制御部２２とルータ部２３との両方を管理している。管理部２６は、ＰＯＮ制御部２２の管理情報を記憶し、ＰＯＮ制御部２２に当該管理情報を提供することによってＰＯＮ制御部２２を管理する。同時に、管理部２６は、ルータ部２３の管理情報を記憶し、ルータ部２３に当該管理情報を提供することによってルータ部２３を管理する。なお、ＰＯＮ制御部２２とルータ部２３と管理部２６とは、別個のチップとして構成されていてもよく、同一チップ上の３つの機能として構成されていてもよい。
【００３９】
管理部２６が記憶しているＰＯＮ制御部２２の管理情報としては、例えばＴＤＭの伝送方式に用いるＰＯＮ接続用識別子、およびＴＤＭＡの伝送方式に用いる送信時刻ならびに送信量などがある。管理部２６が記憶している無線部２５の管理情報としては、例えば無線ＬＡＮの通信に用いるＳＳＩＤ（Service  Set  Identifier）およびそのパスワードなどがある。無線部２５と無線端末５１とが無線通信する場合、無線部２５と無線端末５１との間でＳＳＩＤおよびパスワードを共有する必要がある。これら管理情報は、動的に更新され得る管理情報であるので、管理部２６は書換え可能記憶装置を設け、書換え可能記憶装置に管理情報を記憶している。
【００４０】
その他、管理部２６は、以下のような管理情報を記憶することもできる。例えば、ルータ部２３の動作ログ、無線部２５における周波数ごとの使用可否設定、無線部２５での接続状態、有線部２４の接続状態、および有線部２４における各ポートの使用可否設定などがある。
【００４１】
管理部２６が記憶している管理情報は、ＰＯＮ制御部２２を介してＯＬＴ１０へ送信することができる。この送信の際には、各ＯＮＵ２０ａ〜２０ｎの装置に固有に割り当てられた物理的識別子に関連付けて管理情報を送信する。なお、物理的識別子は、いわゆるＭＡＣアドレスや物理アドレスと呼ばれる識別子を用いることができる。ＯＮＵ２０ａが管理情報を送信するタイミングは、例えば、管理部２６が記憶している管理情報が手動で変更された際、ＯＬＴ１０から管理情報を収集するためのトリガー信号を受信した際、またはＯＮＵ２０ａが再起動された際などが考えられる。
【００４２】
一方、管理部２６が記憶している管理情報は、ＰＯＮ制御部２２が受信した制御フレームに基づいて書き換えることができる。ＰＯＮ光伝送通信のフレームには、管理情報を収容するための制御フレームが規定されている。これを用いて、ＯＬＴ１０は、ＯＮＵ２０ａに対して管理情報を収容した制御フレームを送信することによってＯＮＵ２０ａを遠隔制御することができる。
【００４３】
さらに、管理部２６は、ＰＯＮ制御部２２とルータ部２３との両方を管理するためのプログラムが書換え可能に構成されている。この管理用プログラムは、一般にファームウェアと呼ばれるプログラムである。このファームウェアもＯＬＴ１０からＯＮＵ２０ａに対して送信可能であり、管理部２６は、ＰＯＮ制御部２２が受信したファームウェアに基づいて、自らのファームウェアを書き換える。
【００４４】
図２に示されるように、ＯＬＴ１０が備えるＰＩＦ１１ａは、光送受信部１３とＰＯＮ制御部１４と有線部１５と管理部１６とを備えている。
【００４５】
光送受信部１３は、ＰＯＮ制御部１４から受信した電気信号を光信号に変換して光伝送路３０へ送信し、かつ、光伝送路３０から受信した光信号を電気信号に変換してＰＯＮ制御部１４へ送信する。光送受信部１３は、例えばレーザダイオードとフォトダイオードと波長分割多重素子とを備えている。レーザダイオードは、電気信号を光信号に変換し、フォトダイオードは、光信号を電気信号に変換し、波長分割多重素子は、下り通信と上り通信との光信号を分離するために用いられる。
【００４６】
ＰＯＮ制御部１４は、ＰＯＮ光伝送通信を確立するための制御を行う。上述のように、ＰＩＦ１１ａからＯＮＵ２０ａ〜２０ｎへの通信では、ＴＤＭの伝送方式が用いられている。したがって、ＰＯＮ制御部１４は、有線部１５を介して上位網４０から受信した電気信号を、ＯＮＵ２０ａ〜２０ｎのうちの何処宛の信号であるかを判断し、受信した電気信号を所望の宛先に到達されるようにＰＯＮ光伝送通信用のフレームに変換する。
【００４７】
一方、ＯＮＵ２０ａ〜２０ｎからＰＩＦ１１ａへの通信では、ＴＤＭＡの伝送方式が用いられている。したがって、ＰＯＮ制御部１４は、光送受信部１３を介して光伝送路３０から受信したフレームを、ＯＮＵ２０ａ〜２０ｎのうちの何れかからの信号であるかを判断し、上位網４０用の電気信号に変換する。
【００４８】
管理部１６は、ＰＯＮ制御部１４がＰＯＮ光伝送通信を確立するための情報をＰＯＮ制御部１４に与える。例えば、ＰＯＮ光伝送通信を確立するための情報とは、上記説明したＴＤＭおよびＴＤＭＡの伝送方式に用いるための送受信タイミングなどがある。
【００４９】
さらに、管理部１６は、ＰＯＮ制御部１４がＰＯＮ光伝送通信を確立するための情報をＯＮＵ２０ａのＰＯＮ制御部２２に与える。管理部１６は、制御フレームを用いてＰＯＮ光伝送通信の管理のために必要な管理情報を、ＰＯＮ制御部１４を介してＯＮＵ２０ａに送信することができる。
【００５０】
ＰＯＮ光伝送通信の管理のために必要な管理情報を受信したＯＮＵ２０ａは、当該管理情報に基づいてＰＯＮ制御部２２が制御され、ＰＯＮ制御部１４とＰＯＮ制御部２２との間にＰＯＮ光伝送通信が確立される。
【００５１】
また、管理部１６は、ＯＮＵ２０ａ〜２０ｎにおける下位網５０との通信を管理している。すなわち、管理部１６は、下位網５０の通信の管理のために必要な管理情報を、ＰＯＮ制御部１４を介してＯＮＵ２０ａに送信する。ＯＮＵ２０ａに送信された下位網５０の通信の管理のために必要な管理情報は、ＯＮＵ２０ａの管理部２６で解読され、ルータ部２３の設定に反映される。下位網５０の通信の管理のために必要な管理情報として、例えば無線ＬＡＮの通信に用いるＳＳＩＤおよびそのパスワードなどがある。
【００５２】
さらに、管理部１６は、各ＯＮＵ２０ａ〜２０ｎの管理部２６が記憶している管理情報を取得することもできる。先述したように、管理部２６が記憶している管理情報は、ＯＬＴ１０へ送信することができる。管理部１６は、ＰＯＮ制御部１４が受信した当該管理情報を取得することができる。また、管理部１６は、管理部２６が記憶している管理情報を収集するためのトリガー信号を送信するように、ＰＯＮ制御部１４に指令を出すことができる。
【００５３】
ＯＬＴ１０は、さらにＳＶ１２を備えている。先述したようにＳＶ１２は、各ＰＩＦ１１ａ〜１１ｎの状態を監視および制御するユニットである。ＳＶ１２は、各ＰＩＦ１１ａ〜１１ｎの管理部１６を監視および制御することによって、各ＰＩＦ１１ａ〜１１ｎの状態を監視および制御することができる。
【００５４】
したがって、ＳＶ１２は各ＰＩＦ１１ａ〜１１ｎの管理部１６が実行できる制御のすべてを実行することができる。ＳＶ１２の総合管理部１７は、各ＰＩＦ１１ａ〜１１ｎの管理部１６に指令を出すことによって、各ＰＩＦ１１ａ〜１１ｎが総合的に管理されるからである。さらに、ＳＶ１２は各ＰＩＦ１１ａ〜１１ｎの管理部１６が取得できる情報のすべてを取得することができる。各ＰＩＦ１１ａ〜１１ｎの管理部１６が取得した情報は、ＳＶ１２の総合管理部１７に集積されるからである。
【００５５】
さらに、総合管理部１７は、各ＯＮＵ２０ａ〜２０ｎに対して管理用識別子を関連付けて管理することができる。各ＯＮＵ２０ａ〜２０ｎは加入者宅内に設置されるので、各ＯＮＵ２０ａ〜２０ｎがどの加入者宅に設置されているかを把握しておきたいという要望がある。そこで、総合管理部１７は、光伝送路３０の終端（つまり加入者宅）に対応させた管理用識別子を各ＯＮＵ２０ａ〜２０ｎに割り当てて管理する。
【００５６】
具体的には、各ＯＮＵ２０ａ〜２０ｎを加入者宅に設置する際に、各ＯＮＵ２０ａ〜２０ｎの装置に固有に割り当てられた物理的識別子と管理用識別子とを関連付けて総合管理部１７に記憶しておく。各ＯＮＵ２０ａ〜２０ｎを光伝送路３０の終端に最初に接続する際には、初期認証プロセスとして、各ＯＮＵ２０ａ〜２０ｎの物理的識別子がＯＬＴ１０へ送信される。総合管理部１７は、送信された物理的識別子を、管理部１６を介して取得する。
【００５７】
初期認証プロセスでは、ＯＮＵ２０ａ〜２０ｎの情報および設定がやり取りされるが、すでに物理的識別子と管理用識別子とが関連付けられているので、総合管理部１７は、各加入者宅内のＯＮＵ２０ａ〜２０ｎの設定や状態を管理用識別子と関連付けて管理することが可能である。例えば、ＰＯＮ光伝送通信を確立するための各ＯＮＵ２０ａ〜２０ｎのＰＯＮ接続用識別子も管理用識別子と関連付けて管理することが可能である。
【００５８】
初期認証後においても、総合管理部は、各加入者宅内のＯＮＵ２０ａ〜２０ｎの設定や状態を管理用識別子と関連付けて管理することが可能である。各ＯＮＵ２０ａ〜２０ｎの管理部２６に記憶されている管理情報は、動的に更新され得る管理情報である。しかしながら、管理部２６が記憶している管理情報を送信する際には、各ＯＮＵ２０ａ〜２０ｎの装置に固有に割り当てられた物理的識別子に関連付けて管理情報を送信する。よって、総合管理部１７では、物理的識別子と管理用識別子とが関連付けられているので、受信した管理情報から物理的識別子を管理用識別子に変換することにより、最新のＯＮＵ２０ａ〜２０ｎの設定や状態を管理用識別子と関連付けて管理することが可能となる。
【００５９】
さらに、総合管理部１７は、加入者宅を指定して、その加入者宅内のＯＮＵの設定を変更することができる。加入者宅を指定しても、ＰＯＮ接続用識別子も管理用識別子と関連付けて管理されているので、管理用識別子をＰＯＮ接続用識別子へ変換することにより、所望の加入者宅のＯＮＵへ制御フレームを送信することができるからである。
【００６０】
したがって、総合管理部１７を操作するオペレータは、加入者がネットワークの専門知識がない場合であっても、加入者の要望に従って、局内から加入者宅内のＯＮＵの設定を遠隔操作することが可能である。また、各加入者宅用にＯＮＵの管理情報を総合管理部１７に記憶しておけば、トラブル発生時に、総合管理部１７に記憶してある管理情報を各加入者宅用のＯＮＵに送信することにより、各加入者宅のＯＮＵの状態を復元することも可能である。
【００６１】
さらに、本実施形態では、加入者宅内のＯＮＵが交換された場合であっても、ＯＮＵと無線端末との間の無線ＬＡＮ環境を復元することができる。
【００６２】
図３は、光伝送システム１００における処理の例を示す図である。図３に示される例では、（ａ）ＯＬＴ１０とＯＮＵ（旧）２０Ａとの間でＰＯＮ光伝送通信を確立し、ＯＮＵ（旧）２０Ａの管理情報をＯＬＴ１０にて一元管理するための処理と、（ｂ）ＯＬＴ１０にて一元管理さている管理情報を用いて、無線端末５１とＯＮＵ（新）２０Ｂとの間に無線ＬＡＮ通信の環境を復元するための処理とが直列的に示されている。
【００６３】
（ａ）図３に示されるステップＳ１〜Ｓ４は、ＯＬＴ１０とＯＮＵ（旧）２０Ａとの間でＰＯＮ光伝送通信を確立し、ＯＮＵ（旧）２０Ａの管理情報をＯＬＴ１０にて一元管理するための処理である。光伝送システム１００では、ＯＬＴ１０に接続されるすべてのＯＮＵに対して当該処理を行う。
【００６４】
図３に示されるように、ＯＮＵ２０Ａは、ＯＬＴ１０との間にＰＯＮ光伝送通信を確立するために、ＯＮＵ２０Ａの装置に固有に割り当てられた物理的識別子をＯＬＴ１０へ送信する（ステップＳ１）。この際、ＯＬＴ１０の総合管理部１７では、すでに物理的識別子と管理用識別子とが関連付けられているので、ＯＮＵ２０Ａがある特定の加入者宅内に設置されたＯＮＵ２０Ａであることが把握される。
【００６５】
その後、ＯＮＵ２０ＡとＯＬＴ１０との間で初期認証が行われ、ＰＯＮ光伝送通信が確立する（ステップＳ２）。そして、ＯＮＵ２０ＡとＯＬＴ１０との間でＰＯＮ光伝送通信が確立した後、ＯＮＵ２０Ａと無線端末５１との間で無線ＬＡＮ通信が確立される（Ｓ３）。この無線ＬＡＮ通信の確立時のために、ＯＮＵ２０Ａと無線端末５１との間で共有される管理情報がＳＳＩＤとパスワードであり、ＯＮＵ２０Ａでは、このＳＳＩＤとパスワードは、ＯＮＵ２０Ａの管理部に記憶されている。
【００６６】
その後、所定のタイミングで、ＯＮＵ２０Ａの管理部に記憶されているＳＳＩＤとパスワードは、ＯＮＵ２０Ａの装置に固有に割り当てられた物理的識別子に関連付けて、ＯＬＴ１０へ送信される（ステップＳ４）。このとき、ＯＬＴ１０の総合管理部１７では、すでに物理的識別子と管理用識別子とが関連付けられているので、受信したＳＳＩＤとパスワードとがある特定の加入者宅内で用いられている無線ＬＡＮ通信の環境設定であることが把握される。したがって、ＯＬＴ１０の総合管理部１７は、受信したＳＳＩＤとパスワードとを管理用識別子と関連付けて記憶する。
【００６７】
（ｂ）図３に示されるステップＳ５〜Ｓ８は、ＯＬＴ１０にて一元管理さている管理情報を用いて、無線端末５１とＯＮＵ（新）２０Ｂとの間に無線ＬＡＮ通信の環境を復元するための処理である。光伝送システム１００では、例えばＯＬＴ１０に接続されるＯＮＵ２０ＡがＯＮＵ２０Ｂに交換された場合に当該処理を行う。
【００６８】
ＯＬＴ１０に接続されるＯＮＵ２０ＡがＯＮＵ２０Ｂに交換された場合、ＯＮＵ２０ＡとＯＮＵ２０Ｂとの物理的識別子は異なるので、ＯＮＵ２０Ｂは、ＯＬＴ１０との間にＰＯＮ光伝送通信を確立するために、ＯＮＵ２０Ｂの装置に固有に割り当てられた物理的識別子をＯＬＴ１０へ送信する（ステップＳ５）。しかしながら、ＯＬＴ１０の総合管理部１７では、すでに物理的識別子と管理用識別子とが関連付けられているので、ＯＮＵ２０Ｂが同一の加入者宅内でＯＮＵ２０Ａと交換されたものであることが把握される。
【００６９】
その後、ＯＮＵ２０ＢとＯＬＴ１０との間で初期認証が行われ、ＰＯＮ光伝送通信が確立する（ステップＳ６）。
【００７０】
一方、ＯＬＴ１０の総合管理部１７は、ＯＮＵ２０Ｂが同一の加入者宅内でＯＮＵ２０Ａと交換されたものであることを把握しているので、管理用識別子と関連付けられて記憶されているＳＳＩＤとパスワードとをＯＮＵ２０Ｂへ送信する（ステップＳ７）。
【００７１】
ＳＳＩＤとパスワードとを受信したＯＮＵ２０Ｂは、管理部の管理情報を書き換えてＳＳＩＤとパスワードとを更新する。すると、ＯＮＵ２０Ｂと無線端末５１との間でＳＳＩＤとパスワードとが共有され、無線ＬＡＮ通信の環境が復元される（ステップＳ８）。
【００７２】
以上、本発明を実施形態に基づいて説明してきたが、上記実施形態により本発明が限定されるものではない。上述した各構成要素を適宜組み合わせて構成したものも本発明に含まれる。また、さらなる効果や変形例は、当業者によって容易に導き出すことができる。
【符号の説明】
【００７３】
１００  光伝送システム
１０  ＯＬＴ
１１ａ〜１１ｎ  ＰＩＦ
１２  ＳＶ
１３，２１  光送受信部
１４，２２  ＰＯＮ制御部
１５，２４  有線部
１６，２６  管理部
１７  総合管理部
２０ａ〜２０ｂ，２０Ａ，２０Ｂ  ＯＮＵ
２３  ルータ部
２５  無線部
３０  光伝送路
３１  スプリッタ
３２  第１の光ファイバ伝送路
３３ａ〜３３ｎ  第２の光ファイバ伝送路
４０  上位網
５０  下位網
５１  無線端末
【図１】
2016167707.tif 000003
【図２】
2016167707.tif 000004
【図３】
2016167707.tif 000005